(57)【要約】【課題】停電の発生時に、かご室内の所要部分を有効に照らして乗客の不安感を和らげ、また操作盤の位置やボタンの内容を明瞭に認識させることができるエレベータの停電灯装置を提供する。【解決手段】エレベータのかご室１の側板部４、巾木８、操作盤１０の下部の各部分にそれぞれ停電灯１３，１４，１５を設け、停電の発生時に各停電灯１３，１４，１５を二次電池２１を電源としてそれぞれ点灯させ、かご室１の床部２を含むかご室１内の全体を照明する。各停電灯１３，１４，１５の光源としては冷陰極蛍光ランプを用いる。【選択図】    図１
2004292116.tif 000002
【特許請求の範囲】
【請求項１】
エレベータのかご室と、
このかご室の側板部、巾木、操作盤の下部のうちの少なくともいずれか一つの部分に設けられた停電灯と、
停電を検出し、その検出時に前記停電灯を蓄電装置を用いて点灯させる停電検出装置と、
を具備することを特徴とするエレベータの停電灯装置。
【請求項２】
エレベータのかご室と、
このかご室内の床を照らす部位、操作盤を照らす部位、かご室内の全体を照らす部位とのうちの少なくともいずれか一つの部位に設けられた停電灯と、
停電を検出し、その検出時に前記停電灯を蓄電装置を用いて点灯させる停電検出装置と、
を具備することを特徴とするエレベータの停電灯装置。
【請求項３】
エレベータのかご室と、
このかご室内の床を照らす部位、操作盤を照らす部位、かご室内の全体を照らす部位とにそれぞれ設けられた停電灯と、
停電を検出し、その検出時に前記停電灯を蓄電装置を用いて点灯させる停電検出装置と、
前記複数の停電灯を非停電時に商用電源を用いて選択的に点灯可能とする点灯手段と、
を具備することを特徴とするエレベータの停電灯装置。
【請求項４】
前記停電灯の光源は、冷陰極管、ＬＥＤ、有機ＥＬのうちの少なくともいずれか一つを有することを特徴とする請求項１、２または３に記載のエレベータの停電灯装置。
【発明の詳細な説明】
【０００１】
【発明の属する技術分野】
この発明は、停電時に点灯してかご室内を照明するエレベータの停電灯装置に関する。
【０００２】
【従来の技術】
一般にエレベータには、停電時に点灯してかご室内を照明する停電灯装置が設けられている。この停電灯装置は、かご室の天井部に設けられた停電灯と、停電の発生を検出し、その検出時に前記停電灯を二次電池を用いて点灯させる停電検出装置とを備えている。
【０００３】
【発明が解決しようとする課題】
停電灯の明るさは法定で定められているが、従来においては停電灯がかご室の天井部に設けられているため、特にかご室の床面部分つまり乗客の足元部分の照度が不足し、停電発生時に足元が薄暗く、乗客が不安を募らせてしまう。
【０００４】
また、かご室内の側面の一部には操作盤が設けられ、この操作盤に行先階登録用のボタンやドア開閉用のボタンと併せて非常時に操作するインターホン用のボタンが設けられているが、停電灯が天井部に設けられているため、この操作盤に対する照度も不足し、操作盤の位置やボタンの内容が判別しにくく、乗客が戸惑ってしまうという問題がある。
【０００５】
この発明はこのような点に着目してなされたもので、その目的とするところは、停電の発生時に、かご室内の所要部分を有効に照らして乗客の不安感を和らげ、また操作盤の位置やボタンの内容を明瞭に認識させることができるエレベータの停電灯装置を提供することにある。
【０００６】
【課題を解決するための手段】
請求項１の発明は、エレベータのかご室と、このかご室の側板部、巾木、操作盤の下部のうちの少なくともいずれか一つの部分に設けられた停電灯と、停電を検出し、その検出時に前記停電灯を蓄電装置を用いて点灯させる停電検出装置とを具備することを特徴としている。
【０００７】
請求項２の発明は、エレベータのかご室と、このかご室内の床を照らす部位、操作盤を照らす部位、かご室内の全体を照らす部位とのうちの少なくともいずれか一つの部位に設けられた停電灯と、停電を検出し、その検出時に前記停電灯を蓄電装置を用いて点灯させる停電検出装置とを具備することを特徴としている。
【０００８】
請求項３の発明は、エレベータのかご室と、このかご室内の床を照らす部位、操作盤を照らす部位、かご室内の全体を照らす部位とにそれぞれ設けられた停電灯と、停電を検出し、その検出時に前記停電灯を蓄電装置を用いて点灯させる停電検出装置と、前記複数の停電灯を非停電時に商用電源を用いて選択的に点灯可能とする点灯手段とを具備することを特徴としている。
【０００９】
請求項４の発明は、前記停電灯の光源が、冷陰極管、ＬＥＤ、有機ＥＬのうちの少なくともいずれか一つを有していることを特徴としている。
【００１０】
【発明の実施の形態】
以下、この発明の実施の形態について図面を参照して説明する。
【００１１】
図１には、かご室１内をその背部から前方側を見たときの外観図を示してあり、かご室１は床部２と、天井部３と、複数の側板部４とを備え、かご室１の前面に出入口５が形成され、この出入口５に例えば両開き式のドア６ａ，６ｂが開閉動作可能に設けられている。
【００１２】
出入口５の上部には幕板７が設けられ、また床部２と側板部４との間には巾木８が設けられている。
【００１３】
出入口５の一方側の側板部４には、操作盤１０が設けられ、この操作盤１０に行先階登録用のボタン１０ａ、ドア開閉用のボタン１０ｂ、非常時に操作するインターホン用のボタン１０ｃ等が配設されている。
【００１４】
天井部３には、中央部分に通常時にかご室１内を照明する主照明装置１１が設けられているとともに、前記操作盤１０と隣り合う隅部に従来と同様に停電時に点灯する停電灯１２が設けられている。
【００１５】
さらにこの発明においては、前記操作盤１０と隣り合うかご室１の左右側の一方の側板部４と、この側板部４の下側の巾木８と、前記操作盤１０の下部とにそれぞれ停電灯１３，１４，１５が設けられている。
【００１６】
側板部４および巾木８に設けられた停電灯１３，１４の構造を図２に示してあり、側板部４に設けられた停電灯１３は、側板部４に形成された大きな開口窓１３ａと、この開口窓１３ａを覆う透光性カバー１３ｂと、この透光性カバー１３ｂの裏面に取り付けられた光源ケース１３ｃと、この光源ケース１３ｃ内に設けられた複数の光源１３ｄとで構成されている。
【００１７】
また、巾木８に設けられた停電灯１４は、巾木８に形成された小さな開口窓１４ａと、この開口窓１４ａを覆う透光性カバー１４ｂと、この透光性カバー１４ｂの裏面に取り付けられた光源ケース１４ｃと、この光源ケース１４ｃ内に設けられた光源１４ｄとで構成されている。
【００１８】
さらに、図３には操作盤１０の下部に設けられた停電灯１５の構造を、図４には天井部３に設けられた停電灯１２の構造をそれぞれ示してあり、操作盤１０に設けられた停電灯１５は、操作盤１０およびその裏面側の側板部４に形成された開口窓１５ａ，４ａと、これら開口窓１５ａ，４ａを覆う透光性カバー１５ｂと、この透光性カバー１５ｂの裏面に取り付けられた光源ケース１５ｃと、この光源ケース１５ｃ内に設けられた光源１５ｄとで構成されている。
【００１９】
また、天井部３に設けられた停電灯１２は、天井部３に形成された開口窓３ａと、この開口窓３ａを覆う透光性カバー３ｂと、この透光性カバー３ｂの裏面に取り付けられた光源ケース３ｃと、この光源ケース３ｃ内に設けられた光源１３ｄとで構成されている。
【００２０】
前記各停電灯１２，１３，１４，１５の光源１２ｄ，１３ｄ，１４ｄ，１５ｄとしては、例えば冷陰極蛍光ランプが用いられている。冷陰極蛍光ランプは、１ｍｍ〜６ｍｍ程度の直径を有する透光性放電容器と、この放電容器の両端部に封止された一対の冷陰極と、放電容器の内面に塗布された蛍光体と、放電容器内に封入された放電媒体とを備え、陰極が加熱されることなく発光するため、点灯・消灯の回数によって寿命が左右されることがなく、単に発光時間に起因する要素だけで寿命が決まるという特性をもっている。また、この冷陰極蛍光ランプは、電圧を印加すると即点灯し、発光までの時間的な遅れがないことも特徴の一つとなっている。
【００２１】
図１に示すように、かご室１の例えば天井部３の上方部には、停電の発生を検出する停電検出装置２０および蓄電装置としての二次電池２１が設けられている。平常時においては、商用電源により主照明装置１１が通電され、この主照明装置１１の点灯でかご室１内の全体が明るく照明される。
【００２２】
停電が発生し、主照明装置１１が消灯したときには、その停電の発生が停電検出装置２０により検出され，この検出に応じて前記二次電池２１を電源として各停電灯１２，１３，１４，１５の光源１２ｄ，１３ｄ，１４ｄ，１５ｄが通電されて点灯する。
【００２３】
天井部３の停電灯１２の点灯により、天井部３からかご室１内が従来と同様に照らされるが、本実施形態においてはその天井部３からの照明に加えて巾木８の停電灯１４の点灯でかご室１内の床面部分つまり乗客の足元部分が照らされ、側板部４の停電灯１３の点灯により操作盤１０の表面を含むかご室１内のほぼ全体が照らされ、操作盤１０の下部の停電灯１５の点灯により操作盤１０の下部周辺が照らされ、操作盤１０の位置が知らされる。
【００２４】
このような各停電灯１２，１３，１４，１５の点灯により、かご室１内の床面部分を含む全体が隈なく照明され、したがってかご室１内の乗客が不安を抱くようなことがない。そして、操作盤１０の下部の停電灯１５の点灯により乗客がその操作盤１０の位置を明瞭に判別でき、また操作盤１０の表面が側板部４の停電灯１３により明るく照らされるため、インターホン用のボタン１０ｃ等を戸惑いなく速やかに操作することができる。
【００２５】
各停電灯１２，１３，１４，１５の光源１２ｄ，１３ｄ，１４ｄ，１５ｄとしての冷陰極蛍光ランプは前述したようにその直径が１ｍｍ〜６ｍｍ程度の細管であり、このため各停電灯１２，１３，１４，１５を小型（薄型）に構成してかご室１の外周側の狭いスペース内に容易に据え付けることができる。
【００２６】
また、冷陰極蛍光ランプは、従来一般の蛍光ランプ（熱陰極蛍光ランプ）のように通電により高温となる陰極をもたず、このため寿命が１０００００時間という長寿命特性をもっており、このためその交換期間を大幅に延ばすことができ、保守管理等が容易となる。
【００２７】
ところで、側板部４における停電灯１３の透光性カバー１３ｂは比較的大きな面積を有しているから、この透光性カバー１３ｂに絵柄や文字等のイラストを施し、かつ平常時においてもこの側板部４の停電灯１３を点灯させてかご室１内の意匠性を高めるようにすることも可能である。また、他の停電灯１２，１４，１５においても平常時に選択的に点灯させてかご室１内の照明についての意匠性を高めるようにすることも可能である。
【００２８】
前記実施形態においては、かご室の側板部、巾木、操作盤のそれぞれに停電灯を設けるようにしたが、そのうちの一つあるいは幾つかにのみ停電灯を設ける場合であってもよい。
【００２９】
また、停電灯の光源としては、冷陰極蛍光ランプを用いる場合のほか、例えばＬＥＤ（発光ダイオード）や有機ＥＬ（エレクトロルミネッセンス）を用いることも可能である。この場合、例えば複数のＬＥＤや有機ＥＬの素子を適宜な形状のホルダ等に組み付けて棒状、リング状あるいは平面状等の形態にユニット化して使用することが可能である。なお、一個のＬＥＤや有機ＥＬの素子を用いて棒状、リング状あるいは平面状等に構成することも可能である。
【００３０】
光源としては、ＬＥＤのみを使用する場合、有機ＥＬのみを使用する場合、あるいはＬＥＤと有機ＥＬとを適数ずつ組み合わせて使用する場合であってもよい。
【００３１】
ＬＥＤや有機ＥＬは白色のもの、あるいは他の色のものを使用することが可能であり、また複数の色のＬＥＤや有機ＥＬを混在させることも可能である。さらに、ＬＥＤや有機ＥＬと併せて冷陰極蛍光ランプを停電灯の光源として用いることも可能である。
【００３２】
なお、ＬＥＤや有機ＥＬを点灯させる手段としては、従来一般に使用されている駆動制御装置を用いることは言うまでもない。
【００３３】
前記実施形態においては、停電灯を点灯させる電源として二次電池を用いたが、キャパシタ等の蓄電装置を用いることも可能である。
【００３４】
【発明の効果】
以上説明したようにこの発明によれば、停電の発生時に、かご室内の所要部分を有効に照らして乗客の不安感を和らげ、また操作盤の位置やボタンの内容を明瞭に認識させることができる。
【図面の簡単な説明】
【図１】この発明の一実施形態を示すエレベータのかご室内の外観斜視図。
【図２】そのかご室の側面部および巾木に設けられた停電灯の構造を示す断面図。
【図３】そのかご室の天井部に設けられた停電灯の構造を示す断面図。
【図４】そのかご室の操作盤に設けられた停電灯の構造を示す断面図。
【符号の説明】
１…かご室、２…床部、３…天井部、４…側板部、８…巾木、１０…操作盤、１１…主照明装置、１２，１３，１４，１５…停電灯、２１…二次電池。
【図１】
2004292116.tif 000003
【図２】
2004292116.tif 000004
【図３】
2004292116.tif 000005
【図４】
2004292116.tif 000006